(57)【要約】本考案は芳香機能が兼備された洗浄の簡便な超音波加湿器に関する。これを実現するための本考案は、内部に水を貯蔵する水槽と水槽が載置される水槽載置部を形成し、送風口が内装された取っ手、水不足ランプが備えられる本体と、前記本体の下部から結合し、超音波発進によって噴霧形態の水煙を生成する超音波振動子、水位を感知する水位感知センサー、水不足の時超音波振動子の駆動を制御し、本体の外部に水不足表示ランプを点滅させるための回路基板、前記超音波振動子に電力を供給する電気接続口が備えられる噴霧発生器と、前記電気接続口に結合される電気接続突出部が形成され、前記噴霧発生器の駆動のための超音波発進回路及び制御のための制御回路、外部空気の流入のための送風ファン、加湿量を調節する加湿スィッチ、送風強度を調節する送風スィッチ、電源コードケーブルが収容されるベースとで構成される加湿器において、前記本体の上端は蓋が結合され、前記蓋には加湿粒子を排出する加湿排出口及びノズルが含まれ、前記本体の内側面には芳香及び美容物質が保管できる着脱式フィルター網と固定リングが含まれることを特徴とする。前記のような構成による超音波加湿器によれば、本体が水槽と加湿体の役割を兼用し、送風口が取っ手状に構成されて、内部構造が非常に簡単で、接点電力送信方式を利用して本体が電子回路及び送風ファンなどが内装されたベースから独立的に分離されることによって、洗浄及び水の供給が簡単で且つ自由である。また、移動及び設置が自在で本体の内部に芳香のためのフィルター網が形成されていて、使用者が自由に芳香及び美容物質を添加して加湿と同時に排出させることができる。
2012500378.tif 000002
【特許請求の範囲】
【請求項１】
内部に水を貯蔵する水槽（６１）と；前記水槽（６１）が載置される水槽載置部（６２）を形成し、送風口（６３）が内装された取っ手（６４）と；水不足表示ランプ（６５）が備えられる本体（６０）と；前記本体（６０）の下部から結合して、超音波発進によって噴霧形態の水煙を生成する超音波振動子（７１）と；水位を感知する水位感知センサー（７２）と；水不足の時超音波振動子の駆動を制御し、本体の外部に水不足表示ランプを点滅させるための回路基板（７３）と；前記超音波振動子（７１）に電力を供給する電気接続口（７４）が備えられる噴霧発生器（７０）と；前記電気接続口（７４）に結合される電気接続突出部（８１）が形成され、前記噴霧発生器（７０）の駆動のための超音波発進回路（８２）と；制御のための制御回路（８３）と；外部空気の流入のための送風ファン（８４）と；加湿量を調節する加湿スィッチ（８５）と；送風強度を調節する送風スィッチ（８６）と；電源コードケーブル（８７）が収容されるベース（８０）とで構成される加湿器（１００）において、
前記本体の上端は蓋（９０）が結合され、前記蓋には加湿粒子を排出する加湿排出口（９１）及びノズル（９２）が含まれ、前記本体の内側面には芳香性及び美容物質が保管できる着脱式フィルター網（９３）と固定リング（９４）が含まれることを特徴とする芳香機能が兼備された洗浄の簡便な超音波加湿器。
【請求項２】
前記固定リング（９４）はプラスチック及びステンレス材質で構成され、前記本体の突起部（６６）に結合して支持されるための外向フランジ（９５）と前記フィルター網（９３）を支持するための内向フランジ（９６）が構成されることを特徴とする請求項１に記載の芳香機能が兼備された洗浄の簡便な超音波加湿器。
【請求項３】
前記水槽（６１）と連結された給水栓（６８）は端部が狭くなるコーン状に構成されて、前記水槽載置部（６２）に結合されることによって、給水騷音を減少し、噴霧效率を高め、洗浄及び水を供給する時の便宜性のために水槽と着脱可能に使用できるように構成されることを特徴とする請求項１に記載の芳香機能が兼備された洗浄の簡便な超音波加湿器。
【請求項４】
前記本体（６０）は洗浄及び水の供給の時、容易に携帯できるようにカップ状に形成され、また内部が見える透明なプラスチック材質に目盛（６７）が形成されて、水の供給の時または加湿の進行の中に水槽の水の量を外部で認識できるように構成されることを特徴とする請求項１に記載の芳香機能が兼備された洗浄の簡便な超音波加湿器。
【請求項５】
前記加湿の排出のためのノズル（９２）は噴霧の方向を調節できるように蛇腹状の折曲ホースで構成されることを特徴とする請求項１に記載の芳香機能が兼備された洗浄の簡便な超音波加湿器。
【請求項６】
前記取っ手（６４）はプラスチック材質で、本体（６０）の洗浄及び水の供給の時、容易に携帯できる機能とともに、送風ファン（８４）から発生された空気が通る送風口（６３）の役割を果たすことによって、本体（６０）の内部構造を簡素化させ、ベース（８０）の嵌込溝（８８）に載置させることによって、簡単にベースと着脱可能に結合されることを特徴とする請求項１に記載の芳香機能が兼備された洗浄の簡便な超音波加湿器。
【請求項７】
前記フィルター網（９３）は使用者が液体や固体の芳香物質を入れて加湿と同時に使用できるように、円柱状のステンレス材質で構成され、芳香物質がよく分散できるように、上部はメッシュ状のステンレス材質で構成さて、超音波振動子（７１）によって形成された霧化状態の水粒子の中の大きい水粒子が落水騷音なしにフィルター網（９３）の下部に沿って滑らかに落ちることができるように、前記フィルター網（９３）の下部が凹状に形成されることを特徴とする請求項１に記載の芳香機能が兼備された洗浄の簡便な超音波加湿器。
【請求項８】
前記超音波振動子（７１）の引っかかりや破損を防止するために前記超音波振動子（７１）の一面に耐蝕性金属薄板（５０）を付着することを特徴とする請求項１に記載の芳香機能が兼備された洗浄の簡便な超音波加湿器。
【請求項９】
前記加湿器は、電源コードケーブル（８７）を通じて外部電源を利用することができるとともに、乾電池を通じて充電して使用することができることを特徴とする請求項１に記載の芳香機能が兼備された洗浄の簡便な超音波加湿器。
【発明の詳細な説明】
【技術分野】
【０００１】
本考案は芳香機能が兼備された洗浄の簡便な超音波加湿器に関する。
【背景技術】
【０００２】
加湿器は快適で人体に有益な湿度を維持するために、加湿水を霧化させて空気中に噴射する装置で、冬季あるいは室内の乾燥した空気による呼吸器疾患、アトピー疾患などを解消するために頻繁に使用される。このような用途で使われる加湿器の種類は大きく加熱式、超音波式、複合式がある。
【０００３】
ここで、本考案は超音波式加湿器に係わり、従来の超音波式加湿器について説明すれば下記の通りである。
【０００４】
図１は従来の超音波式加湿器の加湿室の上面を示し、図２は従来の超音波式加湿器の断面を示す。図示したように、加湿器本体２０の上面には水槽１０を載置させる水槽載置部２１と、噴霧を発生して室内空気を加湿する超音波振動子２５と霧化された加湿水を外部に吐出させるための送風口２６、噴霧の発生に必要な水の量を感知する水位感知センサー２７などが設置されている。前記水槽載置部２１は突起２２が形成されていて、水槽１０が前記加湿器本体２０に載置されると、前記水槽の蓋１１に設置されたスプリング構造の給水口１２を開いて所定量の加湿水が連結管２３を通じて加湿室２４に流入される。前記水位センサー２７は前記加湿室２４に流入された加湿水が所定量以下に落ちると、加湿動作が中断される。ここで、前記超音波振動子２５と送風ファン２８は使用者がキー入力部３１のキーを操作して加湿器の動作強度が入力された電子回路（図示省略）などによって加湿水の加湿量と送風強度が調節されて、霧化管２９の上端に設置された噴霧ノズル３０を通じて室内に吐出されながら加湿される。
【０００５】
前述した従来技術の加湿器を長時間使用すると、前記水槽１０と本体２０にかびや細菌などの繁殖による汚染が深刻に発生して、健康のための加湿器がむしろ室内空気汚染の原因となる。これを防止するためには、前記水槽１０と本体２０を常に洗浄しなければならない。この時、前記水槽１０は分離可能であるので洗浄が可能であるが、水槽に結合された別途の蓋１１をいつも解体しなければならないので、洗浄及び水の供給が煩雑で、また前記本体２０は超音波振動子２５を含む水位センサー２７、送風口２６、水槽載置部２１、ケーブル３２などが全部一体に備えられていて、構造が非常に複雑であるとともに、洗浄作業も容易でない。また、本体２０の内部は電子回路で構成されているので、洗浄の時、送風口２６及び本体２０の内部に水の流入などによる電子回路の絶縁状態損傷に起因する加湿器の故障や人体感電の危険が常に存在する。
【０００６】
一方、前記のような一般的な加湿器に芳香機能を追加した加湿器について説明すれば下記の通りである。
【０００７】
図３では、公開番号９１−１０８７の大韓民国公開実用新案公報に公開された芳香機能を備えた加湿器が示されている。前記芳香機能を備えた加湿器の構成を簡単に説明すると、香りのあるスポンジが挿入されたケース４２の一側に送風ファン４０を設置して、前記送風ファン４０で発生された空気が前記ケース４２を通って香りがノズル４１を通じて外部に排出される。
【０００８】
しかし、前記のような芳香機能を備えた加湿器の場合、前述した加湿器と構造的に特に異ならず、洗浄作業が容易でなくて、芳香剤を加湿器の本体内部に設置して使用することによって、使用者が芳香剤を自由に選択して設置することが困難であるという問題点がある。
【先行技術文献】
【特許文献】
【０００９】
【特許文献１】大韓民国実用新案公開公報番号９１−１０８７
【発明の概要】
【発明が解決しようとする課題】
【００１０】
本考案は前述した問題点を解決するために創出されたもので、設置及び移動が自由で、洗浄及び水の供給が便利になるように、加湿器の構造を簡素化するとともに、使用者が芳香及び美容物質を自由に添加して加湿及び香りを発生させることができる芳香機能を兼備した加湿器を提供する。
【課題を解決するための手段】
【００１１】
前記目的を果たすための本発明の芳香機能が兼備された洗浄の簡便な超音波加湿器は、内部に水を貯蔵する水槽と；水槽が載置される水槽載置部を形成し、送風口が内装された取っ手と；水不足ランプが備えられる本体と；前記本体の下部から結合し、超音波発進によって噴霧形態の水煙を生成する超音波振動子と；水位を感知する水位感知センサーと；水不足の時超音波振動子の駆動を制御し、本体の外部に水不足表示ランプを点滅させるための回路基板と；前記超音波振動子に電力を供給する電気接続口が備えられる噴霧発生器と；前記電気接続口に結合される電気接続突出部が形成され、前記噴霧発生器の駆動のための超音波発進回路と；制御のための制御回路と；外部空気の流入のための送風ファンと；加湿量を調節する加湿スィッチと；送風強度を調節する送風スィッチと；電源コードケーブルが収容されるベースとで構成される加湿器において、前記本体の上端は蓋が結合され、前記蓋には加湿粒子を排出する加湿排出口及びノズルが含まれ、前記本体の内側面には芳香性及び美容物質が保管できる着脱式フィルター網と固定リングが含まれることを特徴とする。
【００１２】
また、前記固定リングはプラスチック及びステンレス材質で構成され、前記本体の突起部に結合されて支持されるための外向フランジと前記フィルター網を支持するための内向フランジが構成されることが好ましい。
【００１３】
また、前記フィルター網は円柱状のステンレス材質で構成されたり、液体や固体の芳香物質がよく分散されることができるように、上部はメッシュ状のステンレス材質で構成されることを特徴とする。
【００１４】
一方、前記フィルター網は超音波振動子から跳ね上がる水玉を統制して落水騷音を減少させる役割も果たすもので、下部の形状を凹状に設計することが好ましい。
【００１５】
また、前記本体は透明なプラスチック材質に目盛が形成されることを特徴とする。
【００１６】
また、本発明の芳香機能が兼備された洗浄の簡便な超音波加湿器において、前記超音波振動子の一面に耐蝕性金属板を付着して洗浄の時超音波振動子の引っかかりや破損を防止することができる。
【発明の効果】
【００１７】
以上の構成及び作用で説明したように、本発明による芳香機能が兼備された洗浄の簡便な超音波加湿器は、本体が水槽と加湿体の役割を兼ねており、送風口が取っ手形状に構成されて内部構造が非常に簡単であり、且つ接点電力送信方式を利用して本体が電子回路及び送風ファンなどが内装されたベースから独立的に分離されることによって洗浄及び水の供給が簡単で且つ自由である。また、移動及び設置が自由で本体内部に芳香のためのフィルター網が形成されていて、使用者が自由に芳香及び美容物質を添加して加湿と同時に排出させることができる。
【図面の簡単な説明】
【００１８】
【図１】従来の超音波式加湿器の加湿室上面を示す平面図である。
【図２】従来の超音波式加湿器の断面を示す断面図である。
【図３】従来の芳香機能を備えた加湿器の断面を示す断面図である。
【図４】本発明による一実施形態の芳香機能が兼備された洗浄の簡便な超音波加湿器の構造を示す分解斜視図である。
【図５】本発明による一実施形態の芳香機能が兼備された洗浄の簡便な超音波加湿器の構造を示す断面図である。
【図６】本発明による一実施形態の噴霧発生器の構造を示す断面図である。
【発明を実施するための形態】
【００１９】
以下、添付図面を参照して本発明の好ましい実施形態を詳しく説明する。
【００２０】
図４は本発明による一実施形態の分解斜視図、図５は図４の結合断面図である。
【００２１】
本考案による一実施形態の芳香機能が兼備された洗浄の簡便な超音波加湿器は、図４及び図５に示すように、内部に水を貯蔵する水槽６１と；前記水槽６１が載置される水槽載置部６２を形成して、送風口６３が内装された取っ手６４と；水不足表示ランプ６５が備えられる本体６０と；前記本体６０の下部から結合し、超音波発進によって噴霧形態の水煙を生成する超音波振動子７１と；水位を感知する水位感知センサー７２と；水不足の時超音波振動子の駆動を制御し、本体の外部に水不足表示ランプを点滅させるための回路基板７３と；前記超音波振動子７１に電力を供給する電気接続口７４が備えられる噴霧発生器７０と；前記電気接続口７４に結合される電気接続突出部８１が形成され、前記噴霧発生器７０の駆動のための超音波発進回路８２と；制御のための制御回路８３と；外部空気の流入のための送風ファン８４と；加湿量を調節する加湿スィッチ８５と；送風強度を調節する送風スィッチ８６と；電源コードケーブル８７が収容されるベース８０とで構成される加湿器１００において、前記本体の上端は蓋９０が結合され、前記蓋には加湿粒子を排出する加湿排出口９１及びノズル９２が含まれ、前記本体の内側面には芳香性及び美容物質が保管できる着脱式フィルター網９３と固定リング９４が含まれることを特徴とする。
【００２２】
ここで、前記固定リング９４はプラスチック及びステンレス材質で構成され、前記本体の突起部６６に結合されて支持されるための外向フランジ９５と前記フィルター網９３を支持するための内向フランジ９６が構成されることが好ましい。
【００２３】
前記水槽６１と連結された給水栓６８は端部が狭くなるコーン状に構成され、前記水槽載置部６２に結合されて、本体の内に水の不足の時水の量を少量ずつ供給することによって、給水騷音を減少し、水位が常に一定に保持するようにし、噴霧效率を高め、洗浄及び水の供給の時に簡単に着脱して使用することができるように構成することが好ましい。
【００２４】
前記本体６０は、洗浄及び水の供給の時に容易に携帯できるようにカップ状に形成し、内部が見える透明なプラスチック材質に目盛６７が形成されて、水の供給の時または加湿の進行中に水槽の水の量を外部で認識できるように構成されることが好ましい。
【００２５】
前記取っ手６４はプラスチック材質で、本体６０の洗浄及び水の供給の時、容易に携帯できる機能とともに、前記ベース８０の内部の送風ファン８４から発生された空気が通る送風口６３の役割を果たすので、本体６０の内部構造を簡素化させ、ベース８０の嵌込溝８８に載置させることによって簡単にベースと着脱可能に結合される。その他にも、本体の内部構造を簡素化するために多様な形態で外部で送風する方式が使用されることができる。
【００２６】
前記加湿排出口９１は噴霧の芳香が調節できるようにノズル９２を別途に備えてもよく、前記フィルター網９３は使用者が液体や固体の芳香物質を入れて加湿と同時に使用できるように円柱状のステンレス材質で構成され、芳香物質がよく分散されることができるように、上部はメッシュ状のステンレス材質で構成されることを特徴とする。また、超音波振動子７１によって形成された霧化状態の水粒子の中の大きい水粒子が落水騷音がなくフィルター網９３の下部に沿って水面に滑らかに落ちることができるように、前記フィルター網９３の下部の形状は凹状に形成されることが好ましい。
【００２７】
図６は前記本体６０の下部から結合になる噴霧発生器７０の構造を示し、放熱板７５の上端に水位感知センサー７２が装着され、前記放熱板７５の内部に傾斜された支持面が形成された支持ゴム７６に囲まれて超音波振動子７１が固定される。前記支持ゴム７６は支持ホルダー７７によって固定される。前記放熱板７５と本体６０の下端部との間には漏水防止のためにＯリング７８が挿入される。前記放熱板７５の下端には前記超音波振動子７１及び水位感知センサー７２と電極線（図示省略）で連結された回路基板７３が設置されて、水位感知センサーの一定部分以下に水位が落ちると、その感知信号を回路基板で認知して超音波振動子の駆動を中止させ、本体の外部に水不足表示ランプ６５を点滅させて、水不足信号を表示する。前記超音波振動子７１に電力を供給する電気接続口７４は円形接点７４ａと環形接点７４ｂに形成されて放熱板ホルダー７９の内に設置される。
【００２８】
一方、洗浄の時、超音波振動子７１の引っかかりや破損を防止するために、前記超音波振動子７１の一面に耐蝕性金属板５０を付着することもできる。
【００２９】
このような構成を有する本発明による芳香機能が兼備された洗浄の簡便な超音波加湿器の作動状態を説明すると、加湿器は、噴霧発生器が結合された本体とベースに分離され、本体内の水槽に水を供給した後、ベースの電気接続突出部に載置させ、使用者が入力スィッチのキーを操作すると、加湿器の動作強度が入力された超音波発進回路及び制御回路によって噴霧発生器の加湿量と送風ファンの送風強度が調節されて、本体の上端に設置された加湿排出口及びノズルを通じて外部に吐出されながら加湿及び発香される。
【００３０】
以上で説明した本発明は記載された実施形態に限定されるものではなく、本発明の思想及び範囲を逸脱しないで多様に修正及び変形することができることは、当該技術分野における通常の知識を有する者にとっては自明である。従って、そういう変形例または修正例は本発明の特許請求の範囲に属すると言うべきである。
【図１】
2012500378.tif 000003
【図２】
2012500378.tif 000004
【図３】
2012500378.tif 000005
【図４】
2012500378.tif 000006
【図５】
2012500378.tif 000007
【図６】
2012500378.tif 000008
【国際調査報告】
2012500378.tif 000009
2012500378.tif 000010
2012500378.tif 000011
2012500378.tif 000012